(57)【要約】  【課題】クリニカルパス表示において、医療行為（処置、検査、注射、処方など）の関連性を示すことが出来、その変更や削除を支援し、その順序や進捗を容易に把握することができる技術を提供することを目的とする。【解決手段】患者毎に設定されたクリニカルパス上に、前記患者が受ける一連の関連医療行為情報を示すクリニカルパス表示システムであって、前記一連の関連医療行為情報は、少なくとも一つの主医療行為情報と、前記主医療行為情報に付属する副医療行為情報と、これらの主医療行為情報と副医療行為情報とを関連付ける関連付け情報と、を含み、前記患者毎に設定されたクリニカルパスと、前記一連の関連医療行為情報と、を格納する格納手段と、前記一連の関連医療行為情報に基づいて、前記主医療行為情報と前記副医療行為情報とを関連付けて表示する表示手段と、を備えることを特徴とするクリニカルパス表示システム。【選択図】図７
2006113795.tif 000002
【特許請求の範囲】
【請求項１】
患者毎に設定されたクリニカルパス上に、前記患者が受ける一連の関連医療行為情報を示すクリニカルパス表示システムであって、
前記一連の関連医療行為情報は、少なくとも一つの主医療行為情報と、前記主医療行為情報に付属する副医療行為情報と、これらの主医療行為情報と副医療行為情報とを関連付ける関連付け情報と、を含み、
前記患者毎に設定されたクリニカルパスと、前記一連の関連医療行為情報と、を格納する格納手段と、
前記一連の関連医療行為情報に基づいて、前記主医療行為情報と前記副医療行為情報とを関連付けて表示する表示手段と、
を備えることを特徴とするクリニカルパス表示システム。
【請求項２】
前記表示手段は、前記一連の関連医療行為情報の関連を矢印、又は色分けによって表示する、
ことを特徴とする請求項１に記載のクリニカルパス表示システム。
【請求項３】
前記格納手段に格納された前記一連の関連医療行為情報を変更する内容を入力して編集するための編集手段と、
前記一連の関連医療行為情報を変更する場合のルールを格納するルール格納手段と、
編集対象となる前記一連の関連医療行為情報と、前記変更する内容と、のうちの少なくとも一つに基づいて、前記ルール格納手段に格納された前記ルールを読み出す読み出し手段と、
前記読み出し手段が読み出した前記ルールを参照し、前記変更する内容が前記ルールに適合しているか否かを判定するとともに、前記ルールに従って前記変更する内容に関する情報を出力するルールチェック手段と、
を更に備えることを特徴とする請求項１又は２に記載のクリニカルパス表示システム。
【請求項４】
一の患者に対して少なくとも二つの前記一連の関連医療行為情報を設定する設定手段を、更に備え、
前記ルールチェック手段は、前記設定手段が設定した少なくとも二つの前記一連の関連医療行為情報の中に重複して含まれる前記副医療行為情報があるか否かを前記一連の関連医療行為情報に基づいて判定し、前記副医療行為情報が前記一連の関連医療行為情報に重複して含まれる場合には、前記編集手段による前記副医療行為情報の変更または削除を制限する情報を出力する、
ことを特徴とする請求項３に記載のクリニカルパス表示システム。
【請求項５】
前記主医療行為情報及び前記副医療行為情報の進捗状況を表した進捗情報を管理するための進捗状況管理手段を、更に備え、
前記表示手段は、前記進捗情報を合わせて表示する、
ことを特徴とする請求項１乃至４の一つに記載のクリニカルパス表示システム。
【発明の詳細な説明】
【技術分野】
【０００１】
本発明は、クリニカルパス表示システムに係り、特にクリニカルパス上に表示された複数の医療行為の関係性を容易に把握し、クリニカルパスによる医療行為の指示、進捗、実施などを管理するシステムに関するものである。
【背景技術】
【０００２】
クリニカルパスとは、１人の患者に対して、日単位で、複数の医療関係者が行う医療行為の予定・計画や実施記録などを表現するものである。そのクリニカルパスに関する情報を保持するツールとして、従来、紙ベースの表形式のツールがある。最近は、電子カルテを代表とする医療情報システムの普及に伴い、クリニカルパスを医療情報システム上で実現する形態が増えてきている。
【０００３】
ここでの医療行為とは、注射や採血など処置や、Ｘ線撮影などの検査、処方や投薬・注射、食事など、患者の診断や治療のために病院内で行われる行為を指すものをいう。
【０００４】
このクリニカルパスを用いて、医療関係者はどのような医療行為が該当患者に対して行われているかを把握する事が出来る。そして、その状況を理解し、最適な担当医療行為の配慮や実施が行われるようになる。そのため、クリニカルパスは医療行為の質の向上に寄与するツールとして期待されている。また、このことは、間接的に患者への医療サービスの質の向上に寄与する事になる。それだけではなく、患者に対しても同様な情報を提供する事により、患者自身が自分の状態や検査治療計画や実績を理解でき、病気に立ち向かう積極的な意思を持たせることも期待できる。さらにその事で治療効果が改善する事などが期待できる。
【０００５】
このようにクリニカルパスを利用した医療行為を計画管理する情報システムは、医療サービスの質の向上を支援するものである。このクリニカルパスを利用した医療電子化システムとして特許文献１がある。
【０００６】
特許文献１は、あるオーダを行なう基準日と、その基準日からの相対日数経過後に行なうオーダとをセット化したマルチオーダの雛形を用意し、基準日に特定の日付けを入力すると、各オーダを実施する実施日を算出してオーダを行なう医療電子化システムを開示している。
【特許文献１】特開２００３−２７１７３０
【発明の開示】
【発明が解決しようとする課題】
【０００７】
しかし、特許文献１の医療電子化システムでは、あるオーダ（医療行為）に関連する処置などの関連医療行為を区別する手段は用意されていないため、オーダ同士の関連性は、必要に応じ医療関係者の経験に基づいて判断されている。
【０００８】
本発明は、クリニカルパス表示において、医療行為（処置、検査、注射、処方など）の関連性を示すことが出来、その変更や削除を支援し、その順序や進捗を容易に把握することができる技術を提供することを目的とする。
【課題を解決するための手段】
【０００９】
前記目的を達成するために、本発明に係るクリニカルパス表示システムは、患者毎に設定されたクリニカルパス上に、前記患者が受ける一連の関連医療行為情報を示すクリニカルパス表示システムであって、前記一連の関連医療行為情報は、少なくとも一つの主医療行為情報と、前記主医療行為情報に付属する副医療行為情報と、これらの主医療行為情報と副医療行為情報とを関連付ける関連付け情報と、を含み、前記患者毎に設定されたクリニカルパスと、前記一連の関連医療行為情報と、を格納する格納手段と、前記一連の関連医療行為情報に基づいて、前記主医療行為情報と前記副医療行為情報とを関連付けて表示する表示手段と、を備える。
【００１０】
ここでいう「関連医療行為」とは、ある処置や検査に係る一連の医療行為をいい、例えば、ある手術に対して、その手術を行なうために必要な事前検査、食止め、前処置や、手術、及びその手術を行なったために必要となる後処置などの一連の医療行為をいう。
また「主医療行為」とは、一連の関連医療行為の目的となる医療行為をいい、上記の例における「手術」が該当する。
【００１１】
また「副医療行為」とは、主医療行為に付属して必要となる医療行為をいい、上記の例における「事前検査」、「食止め」、「前処置」、「後処置」が該当する。
【００１２】
また、前記表示手段は、前記一連の関連医療行為情報の関連を矢印、又は色分けによって表示する。
【００１３】
また、前記格納手段に格納された前記一連の関連医療行為情報を変更する内容を入力して編集するための編集手段と、前記一連の関連医療行為情報を変更する場合のルールを格納するルール格納手段と、編集対象となる前記一連の関連医療行為情報と、前記変更する内容と、のうちの少なくとも一つに基づいて、前記ルール格納手段に格納された前記ルールを読み出す読み出し手段と、前記読み出し手段が読み出した前記ルールを参照し、前記変更する内容が前記ルールに適合しているか否かを判定するとともに、前記ルールに従って前記変更する内容に関する情報を出力するルールチェック手段と、を更に備える。
【００１４】
ここでいう「変更する内容」とは、医療行為に関する変更や削除をいい、例えば、医療行為の実施日を変更したり、不要になった医療行為を削除したりすることをいう。また、同種の医療行為が重複してオーダされている場合に、一方の医療行為を削除する場合も含む。
【００１５】
また、一の患者に対して少なくとも二つの前記一連の関連医療行為情報を設定する設定手段を、更に備え、前記ルールチェック手段は、前記設定手段が設定した少なくとも二つの前記一連の関連医療行為情報の中に重複して含まれる前記副医療行為情報があるか否かを前記一連の関連医療行為情報に基づいて判定し、前記副医療行為情報が前記一連の関連医療行為情報に重複して含まれる場合には、前記編集手段による前記副医療行為情報の変更または削除を制限する情報を出力する。
【００１６】
また、前記主医療行為情報及び前記副医療行為情報の進捗状況を表した進捗情報を管理するための進捗状況管理手段を、更に備え、前記表示手段は、前記進捗情報を合わせて表示する。
【発明を実施するための最良の形態】
【００１７】
以下、添付図面に従って本発明にかかるクリニカルパス表示システムを実施するための形態を説明する。
【００１８】
図１は本発明に係るクリニカルパル表示システムのハードウェア構成例を示すブロック図である。
【００１９】
図１に示すようにクリニカルパス表示システム１は、主として各構成要素の動作を制御する中央処理装置（ＣＰＵ）１０と、装置の制御プログラムが格納されたり、プログラム実行時の作業領域となる主メモリ１２と、オペレーティングシステム（ＯＳ）、周辺機器のデバイスドライブ、後述するクリニカルパスの表示、編集、警告表示等を行なうためのプログラムを含む各種アプリケーションソフト、患者毎のカルテデータ）等が格納されるハードディスク装置１４と、クリニカルパスと、関連医療行為に含まれる医療行為情報及び医療行為の関連性を示す関連付け情報と、が格納されたクリニカルパスデータベース（クリニカルパスＤＢ）１６と、クリニカルパスに含まれる各関連医療行為を変更する場合のルールが格納されたルールデータベース（ルールＤＢ）１７と、表示用データを一時記憶する表示メモリ１８と、この表示メモリ１８からのカルテデータ、クリニカルパスデータ、画像データ等によりカルテ、クリニカルパス、画像等を表示するＣＲＴモニタや液晶モニタ等のモニタ装置２０と、キーボード２２と、位置入力装置としてのマウス２４、マウス２４の状態を検出してモニタ装置２０上のマウスポインタの位置やマウス２４の状態等の信号をＣＰＵ１０に出力するマウスコントローラ２６と、プリンタ２に接続してカルテやクリニカルパス等のプリントデータの出力が可能なＵＳＢ（Universal Serial Bus）などのインターフェース（Ｉ／Ｆ）２８と、上記各構成要素を接続するバス３０とから構成される。
【００２０】
図２は本発明に係るクリニカルパス表示システムの実施の形態を示すシステム構成図である。
【００２１】
図２において、クリニカルパスＤＢ１６に格納された関連医療情報を編集するのが編集手段３２である。編集手段３２は、クリニカルパスＤＢ１６から読み出されたクリニカルパスと、このクリニカルパスを適用する患者に対して実際に実施する予定のクリニカルパスとの変更点（関連医療行為の削除を含む）の情報を入力するキーボード２２、マウス２４等の入力手段や、その入力した変更点を反映したクリニカルパスを格納させたりモニタ装置２０等に表示させたりする演算処理手段により構成される。
【００２２】
また図２において、ルールチェック手段３４は、編集手段３２から編集指示を取得し、編集対象となる関連医療行為の情報に基づいてルールＤＢ１７に格納されたルールを読み出し、読み出したルールと編集指示とを比較して、編集指示がルールと一致するか否かを判定したり、一致しない場合にはその旨を伝える警告表示を行ったりする演算子処理手段により構成される。
【００２３】
より具体的には、図２におけるルールチェック手段３４は、一連の医療行為の中で、編集手段３２から取得した編集指示がルールＤＢ１７に格納されたルールに適合しているか否かを判断する。そして、必要な警告などを操作者に与える機能を有す。ここでいう必要な警告とは、医療行為の順序を許されていない順序に変更する場合や、関連する医療行為も合わせて変更しなければならない場合や、後述する一連の医療行為の中で必要な医療行為を削除する場合に、操作者の注意を喚起する目的で行なう出力情報をいう。なお、ルールチェック手段３４は、警告を出すだけではなく、クリニカルパス表示システム１が自動的に変更を行えるものについては、前述のルールＤＢ１７にその自動変更内容ルールを記載しておくことにより自動変更が行えるようにしてもよい。
【００２４】
また、図２における進捗状況管理手段３６は、クリニカルパス上に表示された医療行為のうち、実施済みのものと未実施のものとを区別して管理したり、表示したりするため手段であり、実施済又は未実施に関する情報を入力するキーボード２２やマウス２４と、入力された実施済又は未実施に関する情報を格納する格納手段と、実施済又は未実施を区別してモニタ装置２０に表示させる演算手段により構成される。
【００２５】
図３は、実際に使用されるクリニカルパスの一例を示す模式図である。
【００２６】
クリニカルパスは、図３に示すように、一人の患者に対して、日ごとに多項目について詳細な処置内容や、投薬内容などが定められる。
【００２７】
図４は、患者ごとの電子カルテ上にクリニカルパスを表示したクリニカルパス画面表示例である。
【００２８】
クリニカルパスＤＢ１６に格納されるクリニカルパスは、抽象的な診療計画であるので、図４に示す実際の患者の入退院の日付に合わせた診療計画となるクリニカルパスを患者毎の電子カルテ上に生成する。このクリニカルパスを表示した電子カルテは、モニタ装置２０に表示したりプリンタ２でプリント出力したりすることができる。
【００２９】
図５は、クリニカルパスＤＢ１６に格納される関連医療行為を説明する概念図である。
【００３０】
一つのクリニカルパスに含まれる医療行為の関連付け情報は、各医療行為を木構造で表したデータ構造により格納される。
【００３１】
木構造では、医療行為の順序も一連の医療行為の関連とともに保持しておき、その順序で医療行為が行われていることが確認できるようにクリニカルパス上に表示をする。
【００３２】
クリニカルパス表示システム１は、その木構造をクリニカルパス上で認識可能な形式に表示する。例えば、図５-（ａ）は、虫垂炎手術に関するクリニカルパスを示す。主医療行為である「虫垂炎手術」に付属する副医療行為として「浣腸」及び「剃毛」という処置や、薬剤アレルギーなどの「検査」や、前処置としての「食止め」などが行なわれる。また、主医療行為である「検査」に付属して、副医療行為として「麻酔」や「点滴準備」などの処置がある。このようにある主医療行為と主医療行為に付属する副医療行為とを関連医療行為という。
【００３３】
図５−（ｂ）は、ＣＴ検査についての副医療行為である「食止め」、「血液検査」、及び「後処理」と、血液検査に付属する「処方」及び「注射」が階層に沿った木構造で表現される。
【００３４】
図６は、図５−（ｂ）に示す木構造を用いて格納されたＣＴ検査についての関連医療行為をクリニカルパス上に展開した状態を示す模式図である。また、図７は、図６に示す関連医療行為に含まれる各医療行為の関係性を矢印により表示した模式図である。
【００３５】
各医療行為が実施順序に従って矢印表示されることにより、各医療行為の関係性が表示される。図７においては、「採血」、「血液検査」及び「アレルギー検査」、「検査説明」等、矢印で結ばれた医療行為は、ＣＴ検査の関連医療行為であることを示す。また、矢印で結ばれていない「採尿」は、ＣＴ検査の関連医療行為ではないことを示す。
【００３６】
また、図８のように、矢印に代えて、関連性がある医療行為は共通の表示色を用いて表示することにより、各医療行為の関連性を色づけにより表現しても良い。図８においては、色づけされた「採血」、「血液検査」、「検査説明」等は、ＣＴ検査に付属する副医療行為であることを示す。また「採血」と同色で表示された「血液検査」、「検査説明」は等とは異なる色で表示された「アレルギー検査」、「検査説明」は、ＣＴ検査に付属する副医療行為における同一グループに属する検査であり、「アレルギー検査」は、「採血」が属するグループとは異なるグループに属する副医療行為であることを示す。なお、「検査説明」は、「採血」が属するグループの医療行為であるとともに、「アレルギー検査」が属するグループの医療行為でもあることから、２つのグループに属する表示色を用いて表現される。また、特定の表示色が付けられていない「採尿」は、ＣＴ検査に付属する副医療行為ではないことを示す。
【００３７】
矢印表示の場合は、医療行為の順序関係も表現できるというメリットもあるが、複雑な関係を表現する事が難しいというデメリットがある。また色付けの場合は、順序は表現しづらいデメリットがあるが、関連性のある医療行為の複数のグループを表現する事が出来るメリットがある。又、文字飾りを利用する手段も考えられる。
【００３８】
また、矢印表示と表示色の色分けとを組み合わせてもよい。いずれにせよ操作者に関連性を認識しやすい表示形態を用いる。
【００３９】
次に図９及び図１０に基づいて、進捗状況を登録し、クリニカルパス上に進捗状況を合わせて表示する実施の形態について説明する。図９は、医療行為の進捗状況を登録する工程を示すフローチャートである。図１０は、図９の進捗状況の登録工程の結果表示される画面表示例を示す模式図である。
【００４０】
以下、図９の各ステップ順に説明する。
【００４１】
（ステップＳ９０１）
進捗状況の登録を開始する（Ｓ９０１）。
【００４２】
（ステップＳ９０２）
モニタ装置２０にクリニカルパスを表示する。操作者は、クリニカルパスに含まれる各医療行為の中から、キーボード２２やマウス２４を使って、実施しようとする医療行為Ａを指定する（Ｓ９０２）。
【００４３】
（ステップＳ９０３）
進捗状況管理手段３６は、その医療行為Ａが適切な順序に従って指定されたかを判定する（Ｓ９０３）。
【００４４】
（ステップＳ９０４）
進捗状況管理手段３６が、その医療行為Ａが適切な順序に従って指定されていると判定した場合には、操作者は医療行為Ａを実施する。そして、実施した後、操作者は医療行為Ａの実施済情報を登録する。（Ｓ９０４）。進捗状況管理手段３６は、実施済情報を登録し、終了する（Ｓ９０７）。
【００４５】
（ステップＳ９０５）
進捗状況管理手段３６は、ステップＳ９０２で指定された医療行為Ａが適切な順序に従って指定していないと判定した場合には、警告表示を行なう（Ｓ９０５）。そして、現段階で行なう医療行為のリストを表示する（Ｓ９０６）。その後、終了する（Ｓ９０７）。
【００４６】
上記の進捗状況の登録の結果、例えば図１０に示すように、クリニカルパス上に進捗状況が合わせて表示される。
【００４７】
図１０の例では、「採血」、「血液検査」、「アレルギー検査」及び「検査説明」は完了していること示す下線が付されている。一方、検査前日に行なうべき「点滴」、「採尿」、「食止め」には下線が付されておらず、まだ実施されていないことを示す。関連医療行為の実施順序に従わない実施済の登録情報が入力されると、ルールチェック手段３４は、どの行為を先に行なうべきかの警告を示す。警告表示の例として、例えば、実施されていない「点滴」、「採尿」、「食止め」等を点滅表示したり、表示色を変えたり、また、図示はしないものの「「点滴」、「採尿」、「食止め」が実施されていません」という警告文をモニタ装置２０に表示したりしてもよい。
【００４８】
完了したことを示す表示方法は、下線の他、文字色、文字飾り、セル内の色づけ等でもよい。なお、図１０の画面表示例は、図７に示す矢印を用いた関連医療行為の表示例に進捗状況を合わせて表示したものであるが、図８に示す表示色を用いた関連医療行為の表示例に進捗状況を合わせて表示しても良い。
【００４９】
また、次に実施されるべき医療行為や、実施予定時間をガイドするメッセージなどを操作者に表示したり、関係する医療従事者に対してトリガーをかけたりする手段、例えば関係する医療従事者が操作するＰＨＳにメッセージや音声を送ったり、また電光掲示板等を使って通知する手段を備えてもよい。
【００５０】
次に図１１及び図１２に基づいて、ある医療行為に関係する一連の医療行為中の一つ以上の医療行為の内容を変更あるいは削除する場合について説明する。図１１は、複数の検査にわたる医療行為の扱いについて説明した概念図であって、図５−（ｂ）に示すＣＴ検査に関連する関連医療行為と、造影検査に関する関連医療行為とを合わせて行なう場合に、各医療行為を木構造を用いて表現した概念図である。図１２は、医療行為を削除する場合の工程を示すフローチャートである。
【００５１】
複数の関連医療行為（図１１における「ＣＴ検査」及び「造影検査」）において同じ副医療行為がある場合は、一般に、多重検査にならないように医療行為に関する依頼が出される。図１１の例では、「血液検査」と検査の「後処理」とは、「ＣＴ検査」及び「造影検査」の両方の検査において必要な医療行為である。従って、二重検査や医療行為の効率化を考慮し、通常、一度の「血液検査」で「ＣＴ検査」及び「造影検査」のそれぞれについて必要な検査項目について検査を行う。「後処理」についても同様に、「ＣＴ検査」及び「造影検査」についての「後処理」を一度の医療行為において行なう。この場合、検査予定の変更や中止を操作する場合には、関連医療行為の変更や中止をする際に注意が必要となる。例えば、上記の例において「ＣＴ検査」が中止になった場合でも、「造影検査」のための「血液検査」及び「後処理」を中止することはできない。
【００５２】
本実施の形態に係るクリニカルパス表示システム１は、上記の場合に、関連性をチェックし、変更を行う際に必要に応じて警告などを発生する。以下、図１２の各ステップに沿って、一連の関連医療行為に含まれる医療行為を削除する工程について説明する。
【００５３】
（ステップＳ１２０１）
まず、クリニカルパス上に医療行為を表示して、医療行為の削除を開始する
（Ｓ１２０１）。例えば、図１１において造影検査の削除処理を開始する。
【００５４】
（ステップＳ１２０２）
操作者は、表示された医療行為の中から、削除したい医療行為Ａを指定し、削除要求を行なう（Ｓ１２０２）。図１１において、造影検査が上記医療行為Ａに該当する。
【００５５】
（ステップＳ１２０３）
クリニカルパス表示システム１は、その医療行為Ａに関連する他の医療行為があるか否かを判定する（Ｓ１２０３）。図１１の例では、クリニカルパス表示システム１は、造影検査に関連して、「血液検査」、「造影剤投与」、「後処理」を抽出する。
【００５６】
（ステップＳ１２０４）
その医療行為Ａに関連する他の医療行為がある場合には、関連する医療行為を全て削除対象とする（Ｓ１２０４）。図１１の例では、「血液検査」、「造影剤投与」、「後処理」を削除対象とする。
【００５７】
（ステップＳ１２０５）
その医療行為Ａに関連する他の医療行為がない場合には、医療行為Ａのみを削除対象とする（Ｓ１２０５）。
【００５８】
（ステップＳ１２０６）
ステップＳ１２０４及びステップＳ１２０５において削除対象となった医療行為が、他の関連医療行為に含まれる医療行為であるか否かを判定する（Ｓ１２０６）。図１１の例では、「血液検査」、「造影剤投与」、「後処理」のうち、「造影剤投与」はＣＴ検査とは関係がない医療行為と判定する。また、「血液検査」及び「後処理」は、ＣＴ検査に含まれる医療行為であると判定する。
【００５９】
（ステップＳ１２０７）
削除対象となった医療行為が、他の関連医療行為に含まれる医療行為である場合には、ステップＳ１２０６で他の関連医療行為に含まれる医療行為と判定された医療行為を削除対象から外す。そして操作者に警告を発する（Ｓ１２０７）。図１１の例では、ルールチェック手段３４は、ルールＤＢ１７から「削除対象となっている医療行為が他の関連医療行為に含まれる場合には削除対象から外す」というルールを読み出す。そして、読み出した前述のルールに従い、「血液検査」及び「後処理」を削除対象から外す。更に、操作者に対して必要な警告を発する。
【００６０】
（ステップＳ１２０８）
削除対象となった医療行為が、他の関連医療行為に含まれる医療行為でない場合には、削除対象となっている医療行為を削除する（Ｓ１２０８）。図１１の例では、ルールチェック手段３４は、ルールＤＢ１７から「削除対象となっている医療行為が他の関連医療行為に含まれていない場合には削除する」というルールを読み出す。そして、読み出した前述のルールに従い、「造影剤投与」を削除する。そして終了する（Ｓ１２０９）。
【００６１】
本実施の形態によれば、実施予定の医療行為や発行された医療行為の依頼の相互関係を示す関連付け情報や実施順序情報をシステム内に記録し、クリニカルパス上にその関連付けが分かる様に表示することが出来る。つまり、複数の医療行為の関連性を表示することにより、医療従事者が自分の行う行為がどのような位置付けかを理解しやすくする。また、それにより医療過誤低減に寄与する。
【００６２】
また、一部の医療行為の変更や削除においてその関連性を検出し、警告などを出すことで操作の漏れや誤りを軽減することが出来る。すなわち、医療行為を変更したり削除したりする場合に、一連の関連医療行為の削除が容易に行なえるとともに、他の関連医療行為の対象となっているため削除してはいけない医療行為を誤って削除するといったミスを防止することができる。
【００６３】
更に、医療行為の実施順序やその進捗状況をチェックし、医療過誤の防止にも寄与する。
【００６４】
そのうえ、本発明によって、医療従事者と患者に対して示される検査や治療の計画の情報が適切に管理及びフォローされるため、医療従事者の中での検査や治療の情報が適切に共有化され、ひいては患者に対する医療サービスの質の向上も期待できる。
【図面の簡単な説明】
【００６５】
【図１】図１は本発明に係るクリニカルパル表示システムのハードウェア構成例を示すブロック図
【図２】図２は本発明に係るクリニカルパス表示システムの実施の形態を示すシステム構成図
【図３】図３は実際に使用されるクリニカルパスの一例を示す模式図
【図４】図４は患者ごとの電子カルテ上に図３のクリニカルパスを表示したクリニカルパス画面表示例
【図５】図５はクリニカルパスＤＢ１６に格納される関連医療行為を説明する概念図
【図６】図６は図５−（ｂ）に示す木構造を用いて格納されたＣＴ検査についての関連医療行為をクリニカルパス上に展開した状態を示す模式図
【図７】図７は図６に示す関連医療行為に含まれる各医療行為の関係性を矢印により表示した模式図
【図８】図８は図６に示す関連医療行為に含まれる各医療行為の関係性を色づけにより表示した模式図
【図９】図９は医療行為の進捗状況を登録する工程を示すフローチャート
【図１０】図１０は図９の進捗状況の登録工程の結果表示される画面表示例を示す模式図
【図１１】図１２は複数の検査にわたる医療行為の扱いについて説明した概念図
【図１２】図１２は医療行為を削除する場合の工程を示すフローチャート
【符号の説明】
【００６６】
１…クリニカルパス表示システム、２…プリンタ、１０…ＣＰＵ、１２…主メモリ、１４…ハードディスク装置、１６…クリニカルパスＤＢ、１７…ルールＤＢ、１８…表示メモリ、２０…モニタ装置、２２…キーボード、２４…マウス、２６…マウスコントローラ、２８…Ｉ／Ｆ、３０…バス、３２…編集手段、３４…ルールチェック手段、３６…進捗状況管理手段
【図１】
2006113795.tif 000003
【図２】
2006113795.tif 000004
【図３】
2006113795.tif 000005
【図４】
2006113795.tif 000006
【図５】
2006113795.tif 000007
【図６】
2006113795.tif 000008
【図７】
2006113795.tif 000009
【図８】
2006113795.tif 000010
【図９】
2006113795.tif 000011
【図１０】
2006113795.tif 000012
【図１１】
2006113795.tif 000013
【図１２】
2006113795.tif 000014